(57)【要約】　　　（修正有）【課題】ブレ画像による不良画像を防ぐことができるクリーニング部材として帯電ローラを２本用いた画像形成装置を提供する。【解決手段】感光ドラム１上のトナー像が一次転写ニップ部Ｎ１で静電的に転写される中間転写ベルト９と、残留トナーに直流電圧を印加する第１帯電ローラ２５と交番電圧を印加して所定の極性に帯電する第２帯電ローラ２３と、を有し、帯電された残留トナーが中間転写ベルト９から感光ドラム１へ静電的に転写されるのと同時に感光ドラム１上の次のトナー像が中間転写ベルト９に転写される電界が形成される画像形成装置において、カム受け部材２８、カム２９は二次転写残トナー第１帯電ローラ２５と二次転写残トナー第２帯電ローラ２３を同時に中間転写ベルト９に当接離間させないことを特徴とする。【選択図】　　図１
2004093635.tif 000002
【特許請求の範囲】
【請求項１】
トナー像を担持する電子写真感光体と、前記電子写真感光体上のトナー像が第１の転写位置で静電的に転写される中間転写体と、該中間転写体上のトナー像が第２の転写位置で静電的に転写材に転写された後、前記中間転写体上に残留する残留トナーに直流電圧を印加する第１の帯電手段と、前記中間転写体上に残留する残留トナーに交番電圧を印加して所定の極性に帯電する第２の帯電手段と、を有し、前記第１の転写位置において、前記第１の帯電手段及び第２の帯電手段により帯電された前記残留トナーが前記中間転写体から前記電子写真感光体へ静電的に転写されるのと同時に前記電子写真感光体上の次のトナー像が前記中間転写体に転写される電界が形成される画像形成装置において、
前記第１の帯電手段と前記第２の帯電手段を前記中間転写体に当接離間させる当接離間制御機構を有し、
該当接離間制御機構は前記第１の帯電手段と前記第２の帯電手段を同時に前記中間転写体に当接離間させないことを特徴とする画像形成装置。
【請求項２】
前記当接離間制御機構は、最初に前記第１の帯電手段を前記中間転写体に当接し、次に前記第２の帯電手段を前記中間転写体に当接することを特徴とする請求項１に記載の画像形成装置。
【請求項３】
前記第１の帯電手段及び前記第２の帯電手段は弾性ローラであることを特徴とする請求項１または２に記載の画像形成装置。
【発明の詳細な説明】
【０００１】
【発明の属する技術分野】
本発明は、電子写真方式を用いる画像形成装置に関し、特に、中間転写体を用いる画像形成装置に関するものである。
【０００２】
【従来の技術】
従来、カラーの画像形成装置としては、電子写真方式、熱転写方式、インクジェット方式等の種々の方式が知られているが、これらのうち電子写真方式のものは、他の方式のものに比べ、画像形成速度、画質、静粛性等の点で優れている。
【０００３】
電子写真方式を採用する画像形成装置の中でもさらに種々の方式がある。例えば、感光体表面にカラー像（複数色のトナー像）を重ねた後に転写材に一括転写して画像形成を行う多重現像方式や、現像−転写のサイクルを繰り返し行う多重転写方式、一旦、中間転写体上に各色のトナー像を順次一次転写した後、転写材上に一括転写する中間転写方式等がある。これらのうち、特に中間転写方式のものは、混色の恐れがないこと、質や厚さの異なる様々な転写材の使用が可能であること等の利点を有する。
【０００４】
図１２に、中間転写方式の画像形成装置の一例として４色のフルカラーレーザービームプリンタの概略を示す。
【０００５】
図１２に示すように、電子写真感光体である感光ドラム１０１の周面には、回転方向（矢印Ｒ１方向）に沿って順に、帯電器１０２、レーザー光を感光ドラム１０１に照射する露光装置１０３、現像器１０５〜１０８、中間転写ベルト１０９、および、感光ドラムクリーナー１１９が配置されている。
【０００６】
図１２中、矢印Ｒ１方向に表面速度１１７ｍｍ／秒で回転駆動される直径４６．７ｍｍの感光ドラム１０１は、その表面が帯電器１０２によって負極性に帯電される。
【０００７】
帯電器１０２によって帯電された感光ドラム１０１表面の電位（以降、帯電電位）は、通常、−４５０ｖ〜−８００ｖである。また、帯電器１０２には、帯電器電源１１７により交番電圧に直流電圧を重畳した帯電バイアスが印加される。
【０００８】
帯電された感光ドラム１０１は、画像情報に応じた露光手段１０３の露光Ｌにより表面に静電潜像が形成される。ここで、露光手段１０３は、レーザー等の光源１０３ａ、ラスタスキャンを行う為の６面のポリゴンミラー１０３ｂ、結像のためのレンズ１０３ｃ、折り返しミラー１０３ｄ等を備えている。
【０００９】
この静電潜像には、ロータリー１２２に搭載された１色目ブラックの現像器１０５によって負極性に帯電されたブラックのトナーが付着し、トナー像として現像される。
【００１０】
中間転写ベルト１０９は、複数の支持軸（二次転写対向ローラ１１２、駆動ローラ１１５、テンションローラ１１６）に支持されている。中間転写ベルト１０９は、一例として、厚さ０．０５ｍｍ〜０．３ｍｍ程度の無端状の樹脂ベルトを、カーボン、ＺｎＯ、ＳｎＯ２、ＴｉＯ２、その他の導電性の充填材により、体積抵抗率１０１７〜１０１１Ω・ｃｍ程度に抵抗調整したものを用いる事ができる。樹脂ベルトの材質としては、例えば、ＰＶｄＦ（ポリフッ化ビニリデン）、ナイロン、ＰＥＴ（ポリエチレンテレフタレート）、ポリカーボネート等を用いる事ができる。
【００１１】
中間転写ベルト１０９は、駆動ローラ１１５の回転（図中、矢印Ｒ２方向）に伴い、図中矢印Ｒ３方向に回転する。そして、中間転写ベルト１０９に従動回転する直径１２ｍｍの一次転写ローラ１１０に、一次転写電源１２０から正極性の一次転写バイアスが印加されると、感光ドラム１０１上のトナー像は、一次転写ニップ部Ｎ１を介して一次転写される。ここでは一次転写バイアスは、一例として、＋５００Ｖの直流電圧を用いた。また、一次転写ローラ１１０としては、ＥＰＤＭ、ウレタンゴム、ＣＲ、ＮＢＲ等にカーボンなどの抵抗調整剤を加え、体積抵抗率を調整した材料を用いることが一般的である。
【００１２】
一次転写後の感光ドラム１０１は、弾性体ブレードを有する感光ドラムクリーナー１１９によって表面の一次転写残トナーが除去される。
【００１３】
以上の帯電、露光、現像、一次転写、クリーニング、除電の一連の画像形成プロセスを、各現像器１０６、１０７、１０８に収納された２色目マゼンタ、３色目シアン、４色目イエローの各色のトナーについても繰り返し行い、中間転写ベルト１０９上に４色のトナー像を重ねる。ここで示す従来例に於いては、１色目〜４色目まで、＋５００Ｖの一次転写バイアスを用いた。
【００１４】
そして、図中矢印Ｒ４方向に回転するφ２０ｍｍの二次転写ローラ１１１に、二次転写バイアス電源１２１から二次転写バイアスが印加されると、中間転写ベルト１０９上のトナー像は、二次転写対向ローラ１１２上の二次転写ニップ部Ｎ２を介して転写材Ｐ表面に一括して二次転写される。なお、二次転写バイアスは、一例として、＋１．５ＫＶを用いた。
【００１５】
表面に４色の未定着トナー像を担持した転写材Ｐは、定着器（不図示）に搬送され、ここで表面のトナー像が定着されて画像形成が完了する。
【００１６】
一方、上述の二次転写が終了した後、転写材Ｐに転写されずに中間転写ベルト１０９上に残った二次転写残トナーは、二次転写残トナー第１帯電ローラ１２５によって、直流電圧を印加されて正極性の電荷が付与される。二次転写残トナー第１帯電ローラ１２５を通過した二次転写残トナーのトナー粒子の電気極性は正極性ではあるが、個々のトナー粒子が持つ電荷量は不均一である。
【００１７】
二次転写残トナー第１帯電ローラ１２５を通過した二次転写残トナーは、交番電圧に正極性の直流電圧の重畳されたバイアスの印加された二次転写残トナー第２帯電ローラ１２３により帯電され、トナー粒子の電気極性は正極性を保持しつつ、個々の粒子の持つ電荷量が略均一化される。故に、二次転写残トナー第２帯電ローラ当接部Ｎ３からのトナー飛散は発生しない。
【００１８】
二次転写残トナー第２帯電ローラ１２３と二次転写残トナー第１帯電ローラ１２５は、当接離間制御機構（不図示）により、帯電時のみ中間転写ベルト１０９に当接する。また、二次転写残トナー第２帯電ローラ１２３及び二次転写残トナー第１帯電ローラ１２５が当接する中間転写ベルト１０９の裏面には、帯電効率を上げるために接地の対向電極１２４、１２６が設けられている。
【００１９】
最後に、正極性に帯電されたトナーは、一次転写ニップ部Ｎ１にて、次のトナー画像を一次転写すると同時に感光ドラム１０１へ静電的に転写され、中間転写ベルト１０９上に残った二次転写残トナーは除去される。
【００２０】
【発明が解決しようとする課題】
しかしながら、上記従来のような画像形成装置は、２本の帯電ローラが中間転写ベルトに当接する時の衝撃が大きくなり、その衝撃で感光ドラムを振動させてしまっていた。その結果、感光ドラムにレーザー光が不均一に照射されて、現像不良を誘発させ、ブレ画像として不良画像が生じるという問題点があった。
【００２１】
そこで本発明は、ブレ画像による不良画像を防ぐことができるクリーニング部材として帯電ローラを２本用いた画像形成装置を提供することを目的とする。
【００２２】
【課題を解決するための手段】
上記課題を解決するために本発明に係る画像形成装置の代表的な構成は、トナー像を担持する電子写真感光体と、前記電子写真感光体上のトナー像が第１の転写位置で静電的に転写される中間転写体と、該中間転写体上のトナー像が第２の転写位置で静電的に転写材に転写された後、前記中間転写体上に残留する残留トナーに直流電圧を印加する第１の帯電手段と、前記中間転写体上に残留する残留トナーに交番電圧を印加して所定の極性に帯電する第２の帯電手段と、を有し、前記第１の転写位置において、前記第１の帯電手段及び第２の帯電手段により帯電された前記残留トナーが前記中間転写体から前記電子写真感光体へ静電的に転写されるのと同時に前記電子写真感光体上の次のトナー像が前記中間転写体に転写される電界が形成される画像形成装置において、前記第１の帯電手段と前記第２の帯電手段を前記中間転写体に当接離間させる当接離間制御機構を有し、該当接離間制御機構は前記第１の帯電手段と前記第２の帯電手段を同時に前記中間転写体に当接離間させないことを特徴とする。
【００２３】
【発明の実施の形態】
［第一実施形態］
本発明に係る画像形成装置の第一実施形態について、図を用いて説明する。図１は本実施形態にかかる画像形成装置の概略断面図、図２は第１の帯電手段、第２の帯電手段、当接離間制御機構の説明図、図３は第１の帯電手段、第２の帯電手段、当接離間制御機構の説明図、図４は第１の帯電手段、第２の帯電手段、当接離間制御機構の説明図、図５は第１の帯電手段、第２の帯電手段、当接離間制御機構の説明図、図６は従来の感光ドラムへの振動を表すグラフ、図７は本実施形態にかかる感光ドラムへの振動を表すグラフである。
【００２４】
図１に示すように、中間転写方式の画像形成装置の一例としての４色のフルカラーレーザービームプリンタは、電子写真感光体である感光ドラム１と、感光ドラム１の回転方向（矢印Ｒ１方向）に沿って順に、帯電器２、レーザー光を感光ドラム１に照射する露光装置３、現像器５〜８、中間転写体である中間転写ベルト９、感光ドラムクリーナー１９を配置している。
【００２５】
感光ドラム１は、直径４６．７ｍｍのドラム形状であり、矢印Ｒ１方向に表面速度１１７ｍｍ／秒で回転駆動して帯電器２によって表面を負極性に帯電される。
【００２６】
帯電器２によって帯電された感光ドラム１の表面の電位（以降、帯電電位）は、通常、−４５０ｖ〜−８００ｖである。また、帯電器２には、帯電器電源１７により交番電圧に直流電圧を重畳した帯電バイアスが印加される。
【００２７】
帯電された感光ドラム１は、画像情報に応じた露光手段３の露光Ｌにより表面に静電潜像が形成される。露光手段３は、レーザー等の光源３ａ、ラスタスキャンを行う為の６面のポリゴンミラー３ｂ、結像のためのレンズ３ｃ、折り返しミラー３ｄ等を備えている。
【００２８】
この静電潜像には、ロータリー２２に搭載された１色目ブラックの現像器５によって負極性に帯電されたブラックのトナーが付着し、トナー像として現像される。
【００２９】
中間転写ベルト９は、複数の支持軸（二次転写対向ローラ１２、駆動ローラ１５、テンションローラ１６）に支持されている。中間転写ベルト９は、一例として、厚さ０．０５ｍｍ〜０．３ｍｍ程度の無端状の樹脂ベルトを、カーボン、ＺｎＯ、ＳｎＯ２、ＴｉＯ２、その他の導電性の充填材により、体積抵抗率１０７〜１０１１Ω・ｃｍ程度に抵抗調整したものを用いる事ができる。樹脂ベルトの材質としては、例えば、ＰＶｄＦ（ポリフッ化ビニリデン）、ナイロン、ＰＥＴ（ポリエチレンテレフタレート）、ポリカーボネート等を用いる事ができる。
【００３０】
中間転写ベルト９は、駆動ローラ１５の回転（図中、矢印Ｒ２方向）に伴い、図中矢印Ｒ３方向に回転する。そして、中間転写ベルト９に従動して図中矢印Ｒ４方向に回転する直径１２ｍｍの一次転写ローラ１０に、一次転写電源２０から正極性の一次転写バイアスが印加されると、感光ドラム１上のトナー像は、第１の転写位置である一次転写ニップ部Ｎ１を介して一次転写される。ここでは一次転写バイアスは、一例として、＋５００Ｖの直流電圧を用いる。また、一次転写ローラ１０としては、ＥＰＤＭ、ウレタンゴム、ＣＲ、ＮＢＲ等にカーボンなどの抵抗調整剤を加え、体積抵抗率を調整した材料を用いる。
【００３１】
一次転写後の感光ドラム１は、弾性体ブレードを有する感光ドラムクリーナー１９によって表面の一次転写残トナーが除去される。
【００３２】
以上の帯電、露光、現像、一次転写、クリーニング、除電の一連の画像形成プロセスを、各現像器６、７、８に収納された２色目マゼンタ、３色目シアン、４色目イエローの各色のトナーについても繰り返し行い、中間転写ベルト９上に４色のトナー像を重ねる。
【００３３】
そして、φ２０ｍｍの二次転写ローラ１１に、二次転写バイアス電源２１から二次転写バイアスが印加されると、中間転写ベルト９上のトナー像は、二次転写対向ローラ１２上の二次転写ニップ部Ｎ２を介して転写材Ｐ表面に一括して二次転写される。なお、二次転写バイアスは、一例として、＋１．５ＫＶを用いた。
【００３４】
表面に４色の未定着トナー像を担持した転写材Ｐは、定着器（不図示）に搬送され、ここで表面のトナー像が定着されて画像形成が完了する。
【００３５】
第１の帯電手段としての二次転写残トナー第１帯電ローラ２５は、ＮＢＲゴムにカーボンブラックを分散し、体積抵抗率を率１０８Ω・ｃｍ程度調整した材料を、φ６ｍｍの芯金に対し、厚さ６ｍｍにてローラ形状に成型した部材を用いた。さらに、ローラ表面を研磨し、Ｒｚ０．２μｍ程度に加工した。二次転写残トナーの帯電時には、二次転写残トナー帯電ローラ２３と同様に不図示の当接離間機構を用いて中間転写ベルト９に当接し、二次転写残トナー帯電補助電源２７から、＋２．５ＫＶの直流電圧を印加する。
【００３６】
第２の帯電手段としての二次転写残トナー第２帯電ローラ２３は、体積抵抗率９乗Ω・ｃｍのゴム部材をφ６ｍｍの芯金に対し、厚さ６ｍｍにてローラ形状に成型した部材を用いた。二次転写残トナーの帯電時には、周波数２ＫＨｚ、振幅２ＫＶの正弦波に、＋１ＫＶの直流電圧を重畳したバイアスを二次転写残トナー帯電電源１３から印加する。
【００３７】
二次転写残トナー第２帯電ローラ２３と二次転写残トナー第１帯電ローラ２５は、当接離間制御機構であるカム受け部材２８、カム２９により、帯電時のみ中間転写ベルト９に当接する。また、二次転写残トナー第２帯電ローラ２３及び二次転写残トナー第１帯電ローラ２５が当接する中間転写ベルト９の裏面には、帯電効率を上げるために接地の対向電極２４、２６が設けられている。
【００３８】
二次転写の終了した中間転写ベルト９上に残留する二次転写残トナーは、直流電圧の印加された二次転写残トナー第１帯電ローラ２５によって、正極性の電荷が付与される。二次転写残トナー第１帯電ローラ２５を通過した二次転写残トナーのトナー粒子の電気極性は正極性ではあるが、個々のトナー粒子が持つ電荷量は不均一である。
【００３９】
二次転写残トナー第１帯電ローラ２５を通過した二次転写残トナーは、交番電圧に正極性の直流電圧の重畳されたバイアスの印加された二次転写残トナー第２帯電ローラ２３により帯電され、トナー粒子の電気極性は正極性を保持しつつ、個々の粒子の持つ電荷量は略均一化される。故に、二次転写残トナー第２帯電ローラ当接部Ｎ３からのトナー飛散は発生しない。
【００４０】
続いて、二次転写残トナー第２帯電ローラ２３を通過して正極性に帯電された二次転写残トナーは、一次転写ニップ部Ｎ１へ達する。二次転写残トナーは一次転写ニップ部Ｎ１において次のトナー画像が転写されると同時に感光ドラム１へ静電的に転写され、中間転写ベルト９より除去される。このとき、感光ドラム１の表面は−５５０Ｖに均一に帯電されている。また、一次転写ローラには、＋５００Ｖの直流電圧が印加される。
【００４１】
感光ドラム１へ転写された二次転写残トナーは感光ドラムクリーナー１９に回収され、中間転写ベルト９上の二次転写残トナーの除去は完了する。
【００４２】
このとき、カム受け部材２８、カム２９の動作により、二次転写残トナー第１帯電ローラ２５、二次転写残トナー帯電ローラ２３の順に中間転写ベルト９に当接する。以下、図２〜図５を用いて二次転写残トナー第１帯電ローラ２５と二次転写残トナー第２帯電ローラ２３の当接動作を説明する。
【００４３】
図２に示すように、カム受け部材２８は、一端を軸Ｂに固定し、他端を二次転写残トナー第２帯電ローラ２３の軸両端部に固定しており、カム２９の回転により軸Ｂを中心にして矢印Ａ１、Ａ２方向に揺動可能に形成されている。
【００４４】
図３に示すように、カム２９が回転し始めると、カム受け部材２８はカム２９に押されて矢印Ａ１方向に回動し、最初に二次転写残トナー第２帯電ローラ２３が中間転写ベルト９から離間する。そして、図４に示すように、カム２９が更に回転すると、カム受け部材２８はカム２９に押されて矢印Ａ１方向にさらに回動して二次転写残トナー第１帯電ローラ２５の軸両端部に当接し、二次転写残トナー第１帯電ローラ２５を中間転写ベルト９から離間させる。
【００４５】
次に、図５に示すように、カム２９が更に回転すると、カム受け部材２８はカム２９による押圧が解除されて矢印Ａ２方向に回動し、二次転写残トナー第１帯電ローラ２５が中間転写ベルト９に当接する。さらに、カム２９が回転し、カム受け部材２８が矢印Ａ２方向に回動することにより二次転写残トナー第２帯電ローラ２３が９に当接する。
【００４６】
このように、二次転写残トナー第２帯電ローラ２３と二次転写残トナー第１帯電ローラ２５は、図２〜図５に示す一連の当接離間動作を繰り返す。すなわち、二次転写残トナー第２帯電ローラ２３、二次転写残トナー第１帯電ローラ２５の順に中間転写ベルト９から離間し、二次転写残トナー第１帯電ローラ２５、二次転写残トナー第２帯電ローラ２３の順に中間転写ベルト９に当接する。
【００４７】
ここで、感光ドラム１に加速度センサを取り付け、加速度センサのピックアップにより、二次転写残トナー第２帯電ローラ２３と二次転写残トナー第１帯電ローラ２５が中間転写ベルト９に当接したときの感光ドラム１の振動を測定した。図６は従来の画像形成装置、図７は本実施形態にかかる画像形成装置の測定結果である。
【００４８】
図６に示すように、従来の二次転写残トナー第２帯電ローラ１２３と二次転写残トナー第１帯電ローラ１２５を同時に当接させる構成（図１２参照）では、加速度センサのピックアップは、ブレが発生する値（ブレライン）を越えており、ブレ画像が発生してしまう。
【００４９】
これに対し、図７に示すように、本実施形態にかかる画像形成装置の測定結果では、加速度センサのピックアップはブレラインを下回っており、ブレ画像は発生しない。
【００５０】
上述のごとく、二次転写残トナー第１帯電ローラ２５と二次転写残トナー第２帯電ローラ２３の当接タイミングを変え、二次転写残トナー第１帯電ローラ２５、二次転写残トナー第２帯電ローラ２３の順に中間転写ベルト９に当接すことにより、中間転写ベルト９に与える衝撃を緩和し、ブレによる不良画像の発生を防止することができる。
【００５１】
なお、図２〜図５の一連の当接離間動作は、中間転写ベルト９からの離間時には二次転写残トナー第２帯電ローラ２３、二次転写残トナー第１帯電ローラ２５の順番であるが、離間時の中間転写ベルト９に与える衝撃は当接時に比べ軽微な為、画質問題になりにくい。従って、離間順番としては両ローラ同時、または二次転写残トナー第１帯電ローラ２５、二次転写残トナー第２帯電ローラ２３の順番でも良い。
【００５２】
また、中間転写体としてベルト形状の中間転写ベルト９を用いたが、中間転写体の形状はベルトに限定されること無く、ドラム形状の部材であっても、同様の作用効果を得ることができる。
【００５３】
［第二実施形態］
次に本発明に係る画像形成装置の第二実施形態について図を用いて説明する。図８は本実施形態にかかる第１の帯電手段、第２の帯電手段、当接離間制御機構の説明図である。上記第一実施形態と説明の重複する部分については、同一の符号を付して説明を省略する。
【００５４】
図８に示すように、本実施形態における画像形成装置は、上記第一実施形態の当接離間制御機構であるカム受け部材２８、カム２９に変えて、二次転写残トナー第２帯電ローラ２３と二次転写残トナー第１帯電ローラ２５を各々独立で揺動させて中間転写ベルト９に当接離間させる当接離間制御機構であるカム受け部材３０、３１、カム３２、３３を設けたものである。
【００５５】
カム受け部材３０は、一端を軸Ｂに固定し、他端を二次転写残トナー第２帯電ローラ２３の軸両端部に固定しており、カム３２の回転により矢印Ａ１、Ａ２方向に揺動し、二次転写残トナー第２帯電ローラ２３を中間転写ベルト９に当接離間する。
【００５６】
また、カム受け部材３１も同様に、一端を軸Ｂに固定し、他端を二次転写残トナー第１帯電ローラ２５の軸両端部に固定しており、カム３３の回転により矢印Ｄ１、Ｄ２方向に揺動し、二次転写残トナー第１帯電ローラ２５を中間転写ベルト９に当接離間する。
【００５７】
ここで、二次転写残トナー第２帯電ローラ２３と二次転写残トナー第１帯電ローラ２５は各々独立で駆動可能となっている。二次転写残トナー第２帯電ローラ２３と二次転写残トナー第１帯電ローラ２５の駆動装置としてクラッチＣ１、Ｃ２を用いた。クラッチＣ１、Ｃ２は二次転写残トナー第２帯電ローラ２３と二次転写残トナー第１帯電ローラ２５を二次転写残トナー第１帯電ローラ２５、二次転写残トナー第２帯電ローラ２３の順に中間転写ベルト９に当接するように制御されている。
【００５８】
上述のごとく、カム受け部材３０、３１、カム３２、３３を設け、二次転写残トナー第２帯電ローラ２３と二次転写残トナー第１帯電ローラ２５を各々独立で揺動させて、二次転写残トナー第１帯電ローラ２５と二次転写残トナー第２帯電ローラ２３の当接タイミングを変え、二次転写残トナー第１帯電ローラ２５、二次転写残トナー第２帯電ローラ２３の順に中間転写ベルト９に当接するよう構成した。これにより、上記第一実施形態と同様に、感光ドラム１の加速度センサはブレライン以下のピックアップ値を指し、ブレ画像は発生しない。すなわち、中間転写ベルトに与える衝撃を緩和し、ブレによる不良画像を防ぐことができる。
【００５９】
なお、中間転写ベルト７からの離間時には中間転写ベルト７に与える衝撃は当接時に比べ軽微な為、画質問題になりにくい。従って、離間順番としては両ローラ同時、二次転写残トナー第１帯電ローラ２５、二次転写残トナー第２帯電ローラ２３の順番、二次転写残トナー第２帯電ローラ２３、二次転写残トナー第１帯電ローラ２５の順番のいずれでも良い。
【００６０】
［第三実施形態］
次に本発明に係る画像形成装置の第三実施形態について図を用いて説明する。図９は本三実施形態にかかる画像形成装置の概略断面図、図１０は第１の帯電手段、第２の帯電手段、当接離間制御機構の説明図、図１１は第１の帯電手段、第２の帯電手段、当接離間制御機構の説明図である。上記第一実施形態と説明の重複する部分については、同一の符号を付して説明を省略する。
【００６１】
図９〜図１１に示すように、本実施形態にかかる画像形成装置は、上記第一及び第二実施形態の対向電極２４、２６に変えて、二次転写対向ローラ１２を二次転写残トナー第２帯電ローラ２３と二次転写残トナー第１帯電ローラ２５の対向電極として用いたものである。
【００６２】
時９、図１０に示す実施形態では、上記第一実施形態と同様な二次転写残トナー第２帯電ローラ２３と二次転写残トナー第１帯電ローラ２５の駆動装置を用いた。上記第一実施形態と同様にカム２９の回転によって、二次転写残トナー第１帯電ローラ２５、二次転写残トナー第２帯電ローラ２３の順番に中間体転写ベルト９に当接する。
【００６３】
次に、図１１に示す実施形態では、上記第二実施形態と同様な二次転写残トナー第２帯電ローラ２３と二次転写残トナー第１帯電ローラ２５の駆動装置を用いた。上記第二実施形態と同様にクラッチＣ１、Ｃ２を用いて二次転写残トナー第２帯電ローラ２３と二次転写残トナー第１帯電ローラ２５を独立駆動させて、二次転写残トナー第１帯電ローラ２５、二次転写残トナー第２帯電ローラ２３の順番に中間体転写ベルト９に当接するように制御している。
【００６４】
上述のごとく、二次転写残トナー第１帯電ローラ２５、二次転写残トナー第２帯電ローラ２３の順に中間転写ベルト９に当接するよう構成したことにより、感光ドラム１の加速度センサはブレライン以下のピックアップ値を指し、ブレ画像は発生しない。すなわち、中間転写ベルト９に与える衝撃を緩和し、ブレによる不良画像を防ぐことができる。
【００６５】
更に、二次転写残トナー第１帯電ローラ２５と二次転写残トナー第２帯電ローラ２３の対向電極を二次転写対向ローラ１２と共有化できるので、装置の簡素化、コストダウンを図ることができる。
【００６６】
なお、中間転写ベルト７からの離間時には中間転写ベルト７に与える衝撃は当接時に比べ軽微な為、画質問題になりにくい。従って、離間順番としては両ローラ同時、二次転写残トナー第１帯電ローラ２５、二次転写残トナー第２帯電ローラ２３の順番、二次転写残トナー第２帯電ローラ２３、二次転写残トナー第１帯電ローラ２５の順番のいずれでも良い。
【００６７】
【発明の効果】
以上説明したように、二次転写残トナー第１帯電ローラ、二次転写残トナー第２帯電ローラの順に中間転写ベルトに当接するよう構成したことにより、二次転写残トナー帯電ローラ及び二次転写残トナー補助帯電部材の当接衝撃を緩和し、ブレによる不良画像を防ぐことができる。
【図面の簡単な説明】
【図１】第一実施形態にかかる画像形成装置の概略断面図である。
【図２】第１の帯電手段、第２の帯電手段、当接離間制御機構の説明図である。
【図３】第１の帯電手段、第２の帯電手段、当接離間制御機構の説明図である。
【図４】第１の帯電手段、第２の帯電手段、当接離間制御機構の説明図である。
【図５】第１の帯電手段、第２の帯電手段、当接離間制御機構の説明図である。
【図６】従来の感光ドラムへの振動を表すグラフである。
【図７】第一実施形態にかかる感光ドラムへの振動を表すグラフである。
【図８】第二実施形態にかかる第１の帯電手段、第２の帯電手段、当接離間制御機構の説明図である。
【図９】第三実施形態にかかる画像形成装置の概略断面図である。
【図１０】第１の帯電手段、第２の帯電手段、当接離間制御機構の説明図である。
【図１１】第１の帯電手段、第２の帯電手段、当接離間制御機構の説明図である。
【図１２】従来の画像形成装置の概略断面図である。
【符号の説明】
Ｂ　　　　…軸
Ｃ１　　…クラッチ
Ｃ２　　…クラッチ
Ｌ　　　　…露光
Ｎ１　　…一次転写ニップ部
Ｎ２　　…二次転写ニップ部
Ｎ３　　…二次転写残トナー第２帯電ローラ当接部
Ｐ　　　　…転写材
１　　　　…感光ドラム
２　　　　…帯電器
３　　　　…露光装置
５〜８　　　　…現像器
９　　　　…中間転写ベルト
１０　　　　…一次転写ローラ
１１　　　　…二次転写ローラ
１２　　　　…二次転写対向ローラ
１５　　　　…駆動ローラ
１６　　　　…テンションローラ
１７　　　　…帯電器電源
１９　　　　…感光ドラムクリーナー
２０　　　　…一次転写電源
２１　　　　…二次転写バイアス電源
２２　　　　…ロータリー
２３　　　　…二次転写残トナー第２帯電ローラ
２４　　　　…対向電極
２５　　　　…二次転写残トナー第１帯電ローラ
２６　　　　…対向電極
２８、３０、３１　　　　…カム受け部材
２９、３２、３３　　　　…カム
【図１】
2004093635.tif 000003
【図２】
2004093635.tif 000004
【図３】
2004093635.tif 000005
【図４】
2004093635.tif 000006
【図５】
2004093635.tif 000007
【図６】
2004093635.tif 000008
【図７】
2004093635.tif 000009
【図８】
2004093635.tif 000010
【図９】
2004093635.tif 000011
【図１０】
2004093635.tif 000012
【図１１】
2004093635.tif 000013
【図１２】
2004093635.tif 000014